(57)【要約】【課題】冷却液の送給量を調節することができ、しかも小型であるウォータポンプを提供することにある。【解決手段】ポンプケース７と、ポンプケース７に回転可能に収容されたインペラ８と、ポンプケース７に対し回転可能に支持されると共に、回転駆動が入力される軸体１と、軸体１とインペラ８との間に設けられた駆動力伝達手段とを備え、前記駆動力伝達手段が、軸体１と共に回転するように設けられた磁石部材４と、磁石部材４とは間隔を置いて配置される一方、インペラ８と共に回転するように設けられた磁石部材９とを有して、軸体１に入力される回転駆動力を磁石部材４，９間の磁力を介してインペラ８に伝達させるウォータポンプ２０であって、磁石部材４と磁石部材９との軸方向の相対位置を可変調整するバネ１１および電磁クラッチ１２を更に備えるようにした。【選択図】図１
2007285268.tif 000002
【特許請求の範囲】
【請求項１】
ポンプケースと、
前記ポンプケースに回転可能に収容されたインペラと、
前記ポンプケースに対し回転可能に支持されると共に、回転駆動が入力される軸体と、
前記軸体と前記インペラとの間に設けられた駆動力伝達手段とを備え、
前記駆動力伝達手段は、
前記軸体と共に回転するように設けられた第１の磁石部材と、
前記第１の磁石部材とは間隔を置いて配置される一方、前記インペラと共に回転するように設けられた第２の磁石部材とを有して、
前記軸体に入力される回転駆動力を前記第１および第２の磁石部材間の磁力を介して前記インペラに伝達させるウォータポンプであって、
前記第１の磁石部材と前記第２の磁石部材との軸方向の相対位置を可変調整する伝達駆動力調整機構を更に備えた
ことを特徴とするウォータポンプ。
【請求項２】
請求項１に記載されたウォータポンプであって、
前記伝達駆動力調整機構は、
前記第１の磁石部材を前記軸体の一方端側に押す押力手段と、
前記第１の磁石部材を前記軸体の他方端側に引き付ける引付手段とを有する
ことを特徴とするウォータポンプ。
【請求項３】
請求項２に記載されたウォータポンプであって、
前記引付手段による前記第１の磁石部材を引き付ける力が段階的に変わる
ことを特徴とするウォータポンプ。
【請求項４】
請求項２または請求項３に記載されたウォータポンプであって、
前記引付手段が電磁クラッチである
ことを特徴とするウォータポンプ。
【請求項５】
請求項１乃至請求項４の何れかに記載されたウォータポンプであって、
前記軸体は、駆動手段から回転部材を介して前記回転駆動力が入力され、
前記伝達駆動力調整機構の一部または全部が、前記回転部材の軸方向における断面領域内に配置される
ことを特徴とするウォータポンプ。
【請求項６】
請求項１乃至請求項５の何れかに記載されたウォータポンプであって、
前記第１及び第２磁石部材間に、前記ポンプケース内部を流体充填領域と流体非充填領域とに仕切る隔壁を更に備え、
前記伝達駆動力調整機構の一部または全部が、前記ポンプケース内部であって前記流体非充填領域に配置される
ことを特徴とするウォータポンプ。
【発明の詳細な説明】
【技術分野】
【０００１】
本発明は、ウォータポンプに関し、特に車両などに設置して好適なウォータポンプに関する。
【背景技術】
【０００２】
従来、ウォータポンプは、モータや帯状部材であるベルトによりポンプケースに回転自在に支持されたインペラを駆動することで、冷却液を送給している。
【０００３】
上述したベルトによりインペラを駆動するウォータポンプとして、永久磁石の磁力を利用して、プーリの回転をインペラに作用させて冷却液を送給する、自動車等に用いるウォータポンプが知られている（例えば、特許文献１を参照）。
【０００４】
このウォータポンプは、具体的には、ポンプシャフトと、前記ポンプシャフトに回転自在に配置され、一端部側に設けられた羽根（インペラ）と、外周部に設けられた永久磁石とを有する円筒部と、前記ポンプシャフトおよび前記円筒部を覆うポンプハウジングと、前記ポンプハウジングの外側に空間を介して配置されると共に、前記円筒部の永久磁石と対向して配置され、内周部に永久磁石が設けられたプーリとを有している。
【０００５】
前記ウォータポンプでは、プーリを回転させることで、このプーリに設けられた永久磁石も回転され、この永久磁石の磁力がインペラに設けられた永久磁石に作用し、前記プーリと前記インペラが互いに引き付けたり、反発したりすることで、前記インペラが回転して、冷却液を送給している。
【０００６】
【特許文献１】特開昭６２−２９７９４号公報
【発明の開示】
【発明が解決しようとする課題】
【０００７】
しかしながら、上述した自動車等に用いるウォータポンプでは、水漏れのおそれが皆無であり、耐久性および信頼性を向上でき、さらに小型化および軽量化を図ることができるものの、前記プーリが内燃機関の運転により駆動されるものであり、前記内燃機関の冷態始動時など冷却水を循環させる必要がない場合にも、前記ウォータポンプが始動してしまい、前記冷却水の循環により、内燃機関を冷却させて、当該内燃機関での燃料の燃焼効率を低下させてしまう可能性があった。
【０００８】
すなわち、内燃機関の運転状況にかかわらず、ウォータポンプが作動するため、内燃機関の温度を上昇させて燃焼効率を向上させたいときにも、冷却水が送給されて当該内燃機関を冷却させてしまう可能性があった。
【０００９】
また、冷却水の循環経路内には当該冷却水の温度に応じて開閉するサーモバルブが設けられているが、前記サーモバルブは開閉しかできず、冷却水の流量を調整することができなかった。
【００１０】
そこで、本発明は、前述した問題に鑑み提案されたもので、冷却液の送給量を調節することができ、しかも小型であるウォータポンプを提供することを目的とする。
【課題を解決するための手段】
【００１１】
上述した課題を解決する第１の発明に係るウォータポンプは、ポンプケースと、前記ポンプケースに回転可能に収容されたインペラと、前記ポンプケースに対し回転可能に支持されると共に、回転駆動が入力される軸体と、前記軸体と前記インペラとの間に設けられた駆動力伝達手段とを備え、前記駆動力伝達手段は、前記軸体と共に回転するように設けられた第１の磁石部材と、前記第１の磁石部材とは間隔を置いて配置される一方、前記インペラと共に回転するように設けられた第２の磁石部材とを有して、前記軸体に入力される回転駆動力を前記第１および第２の磁石部材間の磁力を介して前記インペラに伝達させるウォータポンプであって、前記第１の磁石部材と前記第２の磁石部材との軸方向の相対位置を可変調整する伝達駆動力調整機構を更に備えたことを特徴とする。
【００１２】
上述した課題を解決する第２の発明に係るウォータポンプは、第１の発明に記載されたウォータポンプであって、前記伝達駆動力調整機構は、前記第１の磁石部材を前記軸体の一方端側に押す押力手段と、前記第１の磁石部材を前記軸体の他方端側に引き付ける引付手段とを有することを特徴とする。
前記押力手段としては、前記軸体と同軸上に配置された、伸縮部材であるバネなどが挙げられる。
【００１３】
上述した課題を解決する第３の発明に係るウォータポンプは、第２の発明に記載されたウォータポンプであって、前記引付手段による前記第１の磁石部材を引き付ける力が段階的に変わることを特徴とする。
【００１４】
上述した課題を解決する第４の発明に係るウォータポンプは、第２または第３の発明に記載されたウォータポンプであって、前記引付手段が電磁クラッチであることを特徴とする。
【００１５】
上述した課題を解決する第５の発明に係るウォータポンプは、第１乃至第４の何れかの発明に記載されたウォータポンプであって、前記軸体は、駆動手段から回転部材を介して前記回転駆動力が入力され、前記伝達駆動力調整機構の一部または全部が、前記回転部材の軸方向における断面領域内に配置されることを特徴とする。
【００１６】
上述した課題を解決する第６の発明に係るウォータポンプは、第１乃至第５の何れかの発明に記載されたウォータポンプであって、前記第１及び第２磁石部材間に、前記ポンプケース内部を流体充填領域と流体非充填領域とに仕切る隔壁を更に備え、前記伝達駆動力調整機構の一部または全部が、前記ポンプケース内部であって前記流体非充填領域に配置されることを特徴とする。
【発明の効果】
【００１７】
本発明に係るウォータポンプによれば、伝達駆動力調整機構により第１の磁石部材と第２の磁石部材との軸方向の相対位置を可変調整することができ、前記磁石部材同士により互いに引き付ける力が調整されて、前記２の磁石部材およびインペラの回転速度が調整される。その結果、前記インペラによる冷却液の送給量が調節される。よって、前記インペラの回転速度を内燃機関の運転状況に応じて調整することができ、内燃機関での燃料の燃焼効率を向上させて、燃費を向上させることができる。
【００１８】
すなわち、内燃機関が高負荷の状態であるの場合には、前記インペラを高速にて回転させ、内燃機関への冷却液の送給量を多くし、また、内燃機関が低負荷の状態である場合には、前記インペラを低速にて回転させる、または停止させ、前記内燃機関への冷却液の送給量を少なくしたり、前記内燃機関へ冷却液を送給しなくしたりすることができる。
【００１９】
引付手段による第１の磁石部材を引き付ける力が段階的に変わることにより、インペラによる冷却液の送給量を段階的に変えることができる。また、前記引付手段自体が簡易な構造となり製造コストの増加を抑制することができる。
【００２０】
引付手段が電磁クラッチであることにより、当該電磁クラッチのコイルへの電圧を調節することで、第１の磁石部材を引き付ける力を調節することができ、制御性を向上させることができる。
【００２１】
伝達駆動力調整機構の一部または全部が、前記回転部材の軸方向における断面領域内に配置されるので、小型化することができる。
【００２２】
前記伝達駆動力調整機構の一部または全部が、前記ポンプケース内部に配置されるので、さらに小型化することができる。
【発明を実施するための最良の形態】
【００２３】
以下に、本発明に係るウォータポンプを実施するための最良の形態を実施例に基づき具体的に説明する。
【実施例１】
【００２４】
以下に、本発明の第１の実施例に係るウォータポンプにつき、図面を用いて説明する。
図１は、本発明の第１の実施例に係るウォータポンプの断面図であり、図２は、それが有する支持体の斜視図であり、図３は、それが有する回転体の断面図である。図１中の一点破線は、支持体が電磁クラッチにより引き付けられた状態を示す。
【００２５】
本発明の第１の実施例に係るウォータポンプ２０は、図１に示すように、隔壁６により密閉されるポンプケース７と、ポンプケース７に軸受２１，２３を介して回転可能に支持されると共に、駆動手段である内燃機関（図示せず）により駆動されるベルト２により回転駆動される回転部材であるプーリ３を介して回転駆動が入力される軸体１と、軸体１の軸方向に移動可能に、且つ当該軸体１の周方向に回転不能に支持され、複数の磁石部材（第１の磁石部材）４が設けられた支持体５と、ポンプケース７内に配置される一方、ポンプケース７に軸受２２を介して回転可能に支持され、インペラ８および複数の磁石部材（第２の磁石部材）９が設けられた回転体１０とを有する。なお、軸体１における軸受２３近傍には、ストッパ１ａが設けられており、支持体５の移動が規制される。
【００２６】
ただし、支持体５の磁石部材４と回転体１０の磁石部材９は、隔壁６を介し対向して配置される。すなわち、駆動力伝達手段である磁石部材４と磁石部材９とは間隔を置いて配置される。よって、軸体１に入力された回転駆動力は、磁石部材４と磁石部材９間の磁力を介してインペラ８に伝達される。
【００２７】
上述したウォータポンプ２０は、伝達駆動力調整機構をさらに備える。前記伝達駆動力調整機構は、ポンプケース７内に配置され、支持体５を軸体１の一端側に押す押力手段である、伸縮部材のバネ１１と、プーリ３に固定され、支持体５を引き付ける引付手段である電磁クラッチ１２とが挙げられる。バネ１１および電磁クラッチ１２により、磁石部材と磁石部材との軸方向の相対位置が可変調整される。これらバネ１１および電磁クラッチ１２の一部または全部は、プーリ３の軸方向における断面領域Ａ内に配置される。
【００２８】
プーリ３は、軸体１から外側に向かって延在し、屈曲して軸体１の軸方向と略平行に延在し、ベルト２が掛け渡されるベルト保持部３ａを有する。
【００２９】
支持体５は、図１および図２に示すように、小径の開口部を両端に有する第一の円筒体５ａと、第一の円筒体５ａの開口部よりも大径の開口部を両端に有する第二の円筒体５ｃと、第一の円筒体５ａの一方の端部と第二の円筒体５ｃの一方の端部とを接続する側壁５ｂとから構成され、第一の円筒体５ａと第二の円筒体５ｃとは、同軸上に配置される。この支持体５は、第一の円筒体５ａにて軸体１に支持される。第二の円筒体５ｃの外周面５ｄには、その周方向に所定の間隔にて複数の磁石部材４が配置して固定される。
【００３０】
なお、軸体１の外周面および支持体５の第一の円筒体５ａの内周面には、長手方向に延在する溝（図示せず）およびこの溝に嵌まる凸部（図示せず）がそれぞれ形成されて、支持体５は軸体１の軸方向に移動可能に、且つ軸体１の周方向に回転不能に支持される。
【００３１】
ポンプケース７は、図１に示すように、一方の端部が小径な開口部７ａを有する。
【００３２】
隔壁６は、径大な第一の円筒状部材６ａと、第一の筒状部材６ａよりも径小な第二の円筒状部材６ｂと、第一の円筒状部材６ａの一方の端部と第二の円筒状部材６ｂの一方の端部を接続する第一の側壁６ｃと、第二の円筒状部材６ｂの一方の端部側と他方の端部側とを隔てる第二の側壁６ｄとを有し、第一の円筒状部材６ａと第二の円筒状部材６ｂとは、同軸上に配置される。ただし、第二の円筒状部材６ｂでは、その他方の端部側がその一方の端部側と比較して厚肉に形成される。
【００３３】
回転体１０は、図１および図３に示すように、略円筒状の支持部１０ａと、支持部１０ａの一方の端部に固定されたインペラ８と、支持部１０ａより径大な第三の円筒体１０ｄと、第三の円筒体１０ｄの一方の端部と支持部１０ａの側部１０ｂとに接続する側壁１０ｃとを有し、支持部１０ａとインペラ８と第三の円筒体１０ｄとは、同軸上に配置される。なお、側壁１０ｄは、支持部１０ａの長手方向と垂直な方向に延在する。回転体１０の支持部１０ａにて、隔壁６の第二の円筒状部材６ｂの一方の端部側に配置された軸受２２を介して回転可能に支持される。第三の円筒体１０ｄの内周面１０ｅには、その周方向に所定の間隔にて複数の磁石部材９が配置される。
【００３４】
よって、これら部材を組み付けた際に、インペラ８がポンプケース７の開口部７ｂ側に配置される。回転体１０の第三の円筒体１０ｄと隔壁６の第一の円筒状部材６ａと第二の円筒状部材６ｂとが空間を介して略平行に配置される一方、回転体１０の側壁１０ｃと隔壁６の第一の側壁６ｃが空間を介して略平行に配置される。この隔壁６により、ポンプケース７内部をインペラ８が配置される流体充填領域と流体非充填領域とに仕切られる。ポンプケース７内部であって前記流体非充填領域には、電磁クラッチ１２およびバネ１１の一部または全部が配置されるので、小型化することができる。
【００３５】
インペラ８は、所定の間隔にて所定の方向に配置された複数の羽根（図示せず）を有する。
【００３６】
バネ１１は、図１に示すように、軸体１の軸心と同一上に配置されると共に、支持体１０と軸受２３との間に配置される。
【００３７】
電磁クラッチ１２は、軸体１に固定されたコイル１３と、ポンプケース７の一端に固定される一方、軸体１の他方の端部側に設けられた軸受２３を介して軸体１に対して回転可能に支持され、コイル１３への通電に応じて、励磁され磁力の大きさが調整可能なクラッチチョーク１４とを有する。この電磁クラッチ１２およびバネ１１により、支持体５が軸体１に沿って移動（スライド）され、その位置が調整される。
【００３８】
前記電圧を調整することで、クラッチチョーク１４にて励磁される磁力が段階的に調節される（変わる）。よって、インペラ８による冷却液の送給量を段階的に変えることができる。また、電磁クラッチ１２自体が簡易な構造となり製造コストの増加を抑制することができる。制御性を向上させることができる。
【００３９】
さらに、支持体５を軸体１に沿って移動させる機構自体が小さくなり、ウォータポンプ２０自体を小型化させることができる。
【００４０】
上述したウォータポンプ２０では、プーリ３および回転体１０の回転軸は、軸体１の軸心と一致する。
【００４１】
このような構造のウォータポンプ２０では、ベルト２を介してプーリ３を回転駆動させることにより、プーリ３に固定された軸体１が回転される。これに伴い、支持体５および磁石部材４が回転される。このとき、磁石部材４からの磁力が隔壁６を介して、回転体１０の磁石部材９を引き付ける作用が生じる。これにより、回転体１０およびインペラ８が回転され、ポンプケース７内の図示しない冷却液が循環経路（図示せず）に送給される。
【００４２】
また、内燃機関が高負荷の状態である場合には、バネ１１により支持体５が回転体１０側に押付けられ、支持体５の磁石部材４と回転体１０の磁石部材９とが重なり合う重合部が大きくなり、互いに作用し合う磁力も大きくなる。その結果、回転体１０およびインペラ８が高速にて回転し、前記内燃機関への冷却液の送給量が多くなる。
【００４３】
一方、内燃機関が低負荷の状態である場合には、電磁クラッチ１２のコイル１３に通電され、クラッチチョーク１４が励磁されて、支持体５が引っ張られ、支持体５の磁石部材４と回転体１０の磁石部材９とが重なり合う重合部が小さくなり、互いに作用し合う磁力も小さくなる。その結果、回転体１０およびインペラ８が低速にて回転し、前記内燃機関への冷却液の送給量が少なくなる。または、前記重合部が無くなり、磁石部材４，９同士が作用し合わなくなり、回転体１０およびインペラ８が停止して、前記内燃機関へ冷却水を送給しなくなる。
【００４４】
したがって、本発明の第１の実施例に係るウォータポンプ２０によれば、バネ１１および電磁クラッチ１２により支持体５の磁石部材４と回転体１０の磁石部材９とが重なり合う大きさが変えられ、前記磁石部材同士により互いに引き付ける力が調整されて、回転体１０の回転速度が調整される。その結果、インペラ８の回転速度が調整され、インペラ８による冷却液の送給量が調節される。よって、インペラ８の回転速度を内燃機関の運転状況に応じて調整することができ、内燃機関での燃料の燃焼効率を向上させて、燃費を向上させることができる。
【００４５】
すなわち、内燃機関が高負荷の状態である場合には、インペラ８を高速にて回転させ、内燃機関への冷却液の送給量を多くし、また、内燃機関が低負荷の状態である場合には、インペラ８を低速にて回転させる、または停止させ、前記内燃機関への冷却液の送給量を少なくしたり、前記内燃機関へ冷却液を送給しなくしたりすることができる。
【００４６】
また、インペラ８を支持する回転体１０がポンプケース７に回転可能に支持されるので、プーリ３、軸体１、およびインペラ８の回転により生じる摩擦損失を低減させることができる。
【００４７】
更に、電磁クラッチ１２およびバネ１１の一部または全部が、プーリ３の軸方向における断面領域Ａ内に配置されるので、小型化することができる。
【００４８】
上記では、クラッチチョーク１４にて励磁される磁力が段階的に調節される電磁クラッチ１２を用いて説明したが、電圧の大きさに比例してクラッチチョークにて励磁される磁力が変わる電磁クラッチを有するウォータポンプとしても良く、このようなウォータポンプでも、第１の実施例に係るウォータポンプ２０と同様な作用効果を奏する。
【００４９】
上記では、支持体５が軸体１の軸方向に移動可能に、且つ軸体１の周方向に回転不能に支持させる構造として、軸体１の溝とこの溝に嵌まる支持体５の凸部を用いて説明したが、支持体に形成された溝と、軸体に形成され、前記溝に嵌まる凸部とにより、支持体が軸体の軸方向に移動可能に、且つ軸体の周方向に回転不能に支持させる構造としても良い。
【実施例２】
【００５０】
以下に、本発明の第２の実施例に係るウォータポンプにつき、図面を用いて説明する。
図４は、本発明の第２の実施例に係るウォータポンプの断面図である。図５は、本発明の第２の実施例に係るウォータポンプが有する磁石部材の配置を示す図である。図４中の一点破線は、支持体が電磁クラッチにより引き付けられた状態を示す。本発明の第２の実施例に係るウォータポンプは、上述した本発明の第１の実施例に係るウォータポンプにおける隔壁、支持体、回転体、およびクラッチチョークの形状を変えたものであり、それ以外は同一形状の部材を有する。上記第１の実施例に係るウォータポンプと同一形状の部材には、同一符号を付記しその説明を省略する。
【００５１】
本発明の第２の実施例に係るウォータポンプ３０は、図４に示すように、ポンプケースの開口部７ａに接合して配置される平面状の隔壁３１を有して、ポンプケース７の開口部７ａが密閉される。
【００５２】
このウォータポンプ３０は、軸体１に移動可能に支持される支持体３２を有する。この支持体３２は、略円筒状の支持部３２ａと、この支持部３２ａの側部から外側に延在する延在部３２ｂとを有する。この延在部３２ｂは厚肉部を有し、図５に示すように、この厚肉部の一方の側面３２ｃには、その周方向に所定の間隔にて複数の磁石部材（第１の磁石部材）３３が配置して固定される。
【００５３】
ポンプケース７に軸受３６を介して回転可能に支持され、インペラ８が固定された回転体１０には、軸３７を介して円形状の板部材３８が回転体１０と同軸上に固定される。図５に示すように、この円形状の板部材３８には、その周方向に所定の間隔にて複数の磁石部材（第２の磁石部材）３９が配置して固定される。
【００５４】
よって、これらの部材を組み付けた際に、磁石部材３３と磁石部材３９とが隔壁３１を介して対向して配置される。この隔壁３１により、ポンプケース７内部をインペラ８が配置される流体充填領域と流体非充填領域とに仕切られる。ポンプケース７内部であって前記流体非充填領域には、電磁クラッチ１２およびバネ１１の一部または全部が配置されるので、小型化することができる。
【００５５】
このウォータポンプ３０では、電磁クラッチ１２およびバネ１１により、支持体３２が軸体１に沿って移動（スライド）され、その位置が調整される。
【００５６】
したがって、本発明の第２の実施例に係るウォータポンプ３０によれば、上述した第１の実施例に係るウォータポンプ２０と同様な作用効果を奏する他、隔壁３１、支持体３２、回転体１０自体が簡易な形状および構造であり、組み付け性が向上するので、製造コストを低減させることができる。
【００５７】
更に、電磁クラッチ１２およびバネ１１の一部または全部が、プーリ３の軸方向における断面領域Ａ内に配置されるので、小型化することができる。
【実施例３】
【００５８】
以下に、本発明の第３の実施例に係るウォータポンプにつき、図面を用いて説明する。
図６は、本発明の第３の実施例に係るウォータポンプの断面図である。図６中の一点破線は、支持体が電磁クラッチにより引き付けられた状態を示す。本発明の第３の実施例に係るウォータポンプは、上述した本発明の第１，２の実施例に係るウォータポンプにおける隔壁の形状を変えたものであり、それ以外は同一形状の部材を有する。上記第１，２の実施例に係るウォータポンプと同一形状の部材には、同一符号を付記しその説明を省略する。
【００５９】
本発明の第３の実施例に係るウォータポンプ４０は、図６に示すように、ポンプケース７の端部に形成された開口部７ａに接合して配置される隔壁４１を有して、ポンプケース７の開口部７ａが密閉される。なお、軸体１には、ストッパ１ｂが形成されており、支持体３２の移動を規制して、支持体３２と、軸受２３およびクラッチチョーク１４との接触が回避される。
【００６０】
ただし、隔壁４１は、円筒状の筒部４１ａと、この筒部４１ａの一方の端部を閉塞する側壁４１ｂとを有する。この筒部４１ａがポンプケース７の開口部７ａの内側に接合して固定される。
【００６１】
よって、これら部材を組み付けた際に、磁石部材３３と磁石部材３９とが隔壁４１を介して対向して配置される。
【００６２】
このウォータポンプ４０では、電磁クラッチ３４およびバネ１１により、支持体３２が軸体１に沿って移動（スライド）され、その位置が調整される。
【００６３】
したがって、本発明の第３の実施例に係るウォータポンプ４０によれば、上述した第１および第２の実施例に係るウォータポンプ２０，３０と同様な作用効果を奏する他、支持体３２、回転体１０、隔壁４１自体が簡易な形状及び構造であり、組み付け性が向上するので、製造コストをさらに低減させることができる。
【００６４】
更に、電磁クラッチ１２およびバネ１１の一部または全部が、ポンプケース内に配置されるので、小型化することができる。
【産業上の利用可能性】
【００６５】
本発明は、ウォータポンプに利用することが可能であり、特に車両などに設置して好適なウォータポンプに利用することが可能である。
【図面の簡単な説明】
【００６６】
【図１】本発明の第１の実施例に係るウォータポンプの断面図である。
【図２】本発明の第１の実施例に係るウォータポンプが有する支持体の斜視図である。
【図３】本発明の第１の実施例に係るウォータポンプが有する回転体の断面図である。
【図４】本発明の第２の実施例に係るウォータポンプの断面図である。
【図５】本発明の第２の実施例に係るウォータポンプが有する磁石部材の配置を示す図である。
【図６】本発明の第３の実施例に係るウォータポンプの断面図である。
【符号の説明】
【００６７】
１                軸体
２                ベルト
３                プーリ（回転部材）
４                磁石部材
５                支持体
６                隔壁
７                ポンプケース
８                インペラ
９                磁石部材
１０              回転体
１１              バネ
１２              電磁クラッチ
１３              コイル
１４              クラッチチョーク
２０              ウォータポンプ
２１，２２，２３  軸受
３０              ウォータポンプ
３１              隔壁
３２              支持体
３３              磁石部材
３６              軸受
３７              軸
３８              板状部材
３９              磁石部材
４０              ウォータポンプ
４１              隔壁
【図１】
2007285268.tif 000003
【図２】
2007285268.tif 000004
【図３】
2007285268.tif 000005
【図４】
2007285268.tif 000006
【図５】
2007285268.tif 000007
【図６】
2007285268.tif 000008